(57)【要約】【課題】プリンタ等の画像出力装置が本来出せる色再現領域を活用しつつ、従来の記憶色を再現し、彩度補正後も良好な画像を得ることの出来る画像処理装置および画像処理方法を提供すること。【解決手段】本発明の一実施形態は、画像入力装置４０１により入力されたカラー画像信号を画像出力装置４０２に適した画像信号に変換可能な画像処理装置である。色域変換部７０５は、画像信号ＩＭＧ１を色圧縮し、第一色変換部７０６は該色圧縮された画像信号ＩＭＧ１を該画像信号の色空間と異なる色空間へ変換する。一方、第二色変換部７０７は、色圧縮されていない画像信号ＩＭＧ２を上記異なる色空間へ変換する。合成部７０８は、上記色変換された２つの画像信号を、所定の合成率で合成し、新たな画像信号ＩＭＧ３を生成する。【選択図】図７
2009105765.tif 000002
【特許請求の範囲】
【請求項１】
入力装置により入力されたカラー画像信号を出力装置に適した画像信号に変換可能な画像処理装置であって、
第一の入力画像信号を色圧縮する色圧縮手段と、
前記色圧縮手段により色圧縮された画像信号を、該画像信号の色空間と異なる色空間へ変換する第一色変換手段と、
前記第１の入力画像信号と同一の信号である第二の入力画像信号を色圧縮することなく前記異なる色空間へ変換する第二色変換手段と、
前記第一色変換手段および前記第二色変換手段により色変換された二つの画像信号を合成し、新たな画像信号を生成する合成手段と
を備えることを特徴とする画像処理装置。
【請求項２】
前記合成手段に入力される二つの画像信号の色空間は、前記出力装置の色空間であり、
該二つの画像信号の少なくとも一方は前記出力装置の再現し得る全ての色域を利用可能な信号であることを特徴とする請求項１に記載の画像処理装置。
【請求項３】
前記合成手段は、彩度の変化に応じて、前記合成手段に入力される二つの入力信号の合成率を変化させることを特徴とする請求項１または２に記載の画像処理装置。
【請求項４】
前記合成率は、前記第二色変換手段により色変換された画像信号の信号値に応じて決定された合成率であることを特徴とする請求項３に記載の画像処理装置。
【請求項５】
前記合成率は、前記変換後の画像信号の各色成分を独立又は連動して変化させることにより決定されることを特徴とする請求項４に記載の画像処理装置。
【請求項６】
前記合成手段は、
前記第一色変換部により色変換された画像信号を取得する第一の画像信号取得手段と、
前記第二色変換部により色変換された画像信号を取得する第二の画像信号取得手段と、
前記第一色変換手段および前記第二色変換手段により色変換された二つの画像信号を合成する際の合成率を規定した合成率換算テーブルを参照して、前記第二の画像信号取得手段により取得された画像信号と前記合成率換算テーブルとから、前記合成率を生成する合成率生成手段と、
前記第一の画像信号取得手段により取得された画像信号と、前記第二の画像信号取得手段により取得された画像信号とを、前記合成率に従って合成して前記新たな画像信号を生成する手段と
を有することを特徴とする請求項１乃至５のいずれかに記載の画像処理装置。
【請求項７】
前記入力されたカラー画像信号から少なくとも２つの画像信号に分配して、前記第１の入力画像信号と、前記第２の入力画像信号とを取得する手段をさらに備えることを特徴とする請求項１乃至６のいずれかに記載の画像処理装置。
【請求項８】
入力装置により入力されたカラー画像信号を出力装置に適した画像信号に変換可能な画像処理方法であって、
第一の入力画像信号を色圧縮する色圧縮工程と、
前記色圧縮工程により色圧縮された画像信号を、該画像信号の色空間と異なる色空間へ変換する第一色変換工程と、
前記第１の入力画像信号と同一の信号である第二の入力画像信号を色圧縮することなく前記異なる色空間へ変換する第二色変換工程と、
前記第一色変換工程および前記第二色変換工程により色変換された二つの画像信号を合成し、新たな画像信号を生成する合成工程と
を有することを特徴とする画像処理方法。
【請求項９】
前記合成工程に入力される二つの画像信号の色空間は、前記出力装置の色空間であり、
該二つの画像信号の少なくとも一方は前記出力装置の再現し得る全ての色域を利用可能な信号であることを特徴とする請求項８に記載の画像処理方法。
【請求項１０】
前記合成工程は、彩度の変化に応じて、前記合成工程にて入力される二つの入力信号の合成率を変化させることを特徴とする請求項８または９に記載の画像処理方法。
【請求項１１】
前記合成率は、前記第二色変換工程にて色変換された画像信号の信号値に応じて決定された合成率であることを特徴とする請求項１０に記載の画像処理方法。
【請求項１２】
前記合成率は、前記変換後の画像信号の各色成分を独立又は連動して変化させることにより決定されることを特徴とする請求項１１に記載の画像処理方法。
【請求項１３】
前記合成工程は、
前記第一色変換工程により色変換された画像信号を取得する第一の画像信号取得工程と、
前記第二色変換工程により色変換された画像信号を取得する第二の画像信号取得工程と、
前記第一色変換工程および前記第二色変換工程により色変換された二つの画像信号を合成する際の合成率を規定した合成率換算テーブルを参照して、前記第二の画像信号取得工程により取得された画像信号と前記合成率換算テーブルとから、前記合成率を生成する合成率生成工程と、
前記第一の画像信号取得工程により取得された画像信号と、前記第二の画像信号取得工程により取得された画像信号とを、前記合成率に従って合成して前記新たな画像信号を生成する工程と
を有することを特徴とする請求項８乃至１２のいずれかに記載の画像処理方法。
【請求項１４】
前記入力されたカラー画像信号から少なくとも２つの画像信号に分配して、前記第１の入力画像信号と、前記第２の入力画像信号とを取得する工程をさらに有することを特徴とする請求項８乃至１３のいずれかに記載の画像処理方法。
【請求項１５】
コンピュータに請求項８乃至１４のいずれかに記載の画像処理方法を実行させるためのコンピュータプログラム。
【請求項１６】
コンピュータにより読み出し可能なプログラムを格納した記憶媒体であって、請求項１５記載のコンピュータプログラムを格納したことを特徴とする記憶媒体。
【発明の詳細な説明】
【技術分野】
【０００１】
本発明は、画像処理装置および画像処理方法に関し、より詳細には、デジタル写真画像などのような画像データに対して画質を向上させるための画像処理装置および画像処理方法に関するものである。
【背景技術】
【０００２】
従来、モニタに対するカラーマッチングを行った際、モニタによる色再現領域を越えない範囲で色再現を行っており、プリンタが本来出せる色再現を最大限には使っていなかった。そのため、プリンタやメディアによっては風景・人物写真等において主要となる記憶色が十分に再現されていなかった。
【０００３】
この課題に関して、カラーマッチングを行う際に、均等色空間において彩度を拡張する補正を行い、再現領域を広げる方法が提案されている。
【０００４】
特許文献１に記載の発明は、色相に関しては色相角の値に応じて色相の変化量が異なり、彩度に関しては色相角の値かつ彩度の値に応じて彩度の変化量が異なり，明度に関しては色相角に応じて明度の変化量が異なることを特徴とする発明である。
【０００５】
すなわち、特許文献１では、全色相角を均等にシフトさせるのではなく、それぞれの色相について、独立して目標の色相へ変換するように色相の変換を行っている。そして、彩度については、上記シフトの方向や色相シフト量が異なる、それぞれの色相について用意された彩度変換曲線を用いて、色相毎に異なる彩度変換を行っている。明度についても、色相毎に明度変換量を関連付けた明度変換曲線によって変換を行っている。
【０００６】
よって、特許文献１では、上述のように色相、彩度、明度を制御することにより、いずれの画像においても人間の記憶色に近づいたより好ましい色に再現できる。従って、鮮やかにしたい色はより鮮やかに、色の変化を抑えたいところはそのままの色に再現するという効果が期待できる。
【０００７】
【特許文献１】特開２００３−１１０８６８号公報
【発明の開示】
【発明が解決しようとする課題】
【０００８】
以上から明らかなように、カラーマッチング技術においては、色相、彩度、明度に関する成分の値を独立に制御する方式が有力であるが、この方式であっても、より良好に印刷等の画像処理を行うためには、まだ改善しなければならない課題が残されている。特に、画像形成に用いられる色材の特性を考慮する必要がある。
【０００９】
しかしながら、特許文献１の方法は印刷に要する色材の特性を考慮したものではない。そのため、本来は純色で再現されていた色相であっても、彩度補正の効果により拡張された領域には他の色材が混入する場合がある。これは、インクジェットプリンタであればそれほど問題にはならないが、電子写真プロセスにおいては、純色に他の色材が混入すると紙面上での粒状性が増し、画質劣化の要因となり得る。
【００１０】
以下、具体的に説明する。  
図１、図２、図３はそれぞれ、「入力装置の色域」、「出力装置の色域」および「入力装置の色域を圧縮した色域」をＬａｂ空間において表したものである。一般に均等色空間は色味を立体的な位置関係として表現可能な空間であるが、ここでは便宜上明度成分であるＬ値をａｂ平面に写像して、色空間を二次元的に表現するものとする。
【００１１】
ここで、「入力装置の色域」とは、例えばＣＲＴや液晶ディスプレイ等のモニタ装置に表現可能な色空間の色再現域でｓＲＧＢやＡｄｏｂｅＲＧＢなどが挙げられる。一般に、「入力装置の色域」は「出力装置の色域」よりも広く、表現できる階調数が多い。
【００１２】
また、「出力装置の色域」とは、インクジェットプリンタや電子写真プリンタ等で使用される色材（例えばインクやトナー）によって紙等の記録材上に表現可能な最大の色再現域で、一般的にＣＭＹＫの４色から構成される。なお、「出力装置の色域」は、色材の特性や出力装置自体の性能に強く左右されるため、これを改善する方法として近年においては、ＣＭＹＫ以外の色を追加することも提案されている。例えば、上記の４色に薄シアン（Light Cyan）、薄マゼンタ（Light Magenta）を追加した６色システムや、それ以上の色数の印刷システムが提案されている。従って、本発明においても出力装置の色空間は４色に限定されるものではない。
【００１３】
さらに、「入力装置の色域を圧縮した色域」とは、「出力装置の色域」の範囲内において、実際に紙等の記録材上に表現する際の色再現域である。通常、この色域は表現しようとする画像データの種類や目的によって、色域の大きさや色相、階調性が異なる。例えば、風景・人物写真等の自然画像は全体の階調性を重視するため、その色再現域は「出力装置の色域」よりも小さくなる。また、プレゼンテーション用の電子資料におけるグラフィック画像や文字においては、階調性よりも、鮮やかさが重視されるため、その再現域は「出力装置の色域」と近い大きさになる。
【００１４】
図１は、特許文献１における彩度補正を説明した図である。  
ＰＬはａ＝０，ｂ＝０となるＬ軸上の点を示している。また、ＰＡは入力装置の色空間において（Ｒ，Ｇ，Ｂ）＝（０，２５５，２５５）の信号値をＬａｂ色空間に変換した点を示している。また、ＰＢはＰＡが印刷目的に合わせて色域圧縮されたＬａｂ空間上の点を示している。さらに、ＰＣは出力装置の色空間において（Ｃ，Ｍ，Ｙ，Ｋ）＝（２５５，０，０，０）の信号値を出力装置にて出力した際に、色材が紙等の記録材に再現する色味を示している。
【００１５】
さらに、矢印ＨＡは入力装置の色空間において(Ｒ，Ｇ，Ｂ)＝(２５５，２５５，２５５)から(Ｒ，Ｇ，Ｂ)＝(０，２５５，２５５)へと、レッド(Red)成分が徐々に減算された際のＬａｂ色空間上の色相を示している。また、矢印ＨＣは、ＨＡを印刷目的に合わせて色域圧縮した際の色相を示す。
【００１６】
特許文献１における彩度補正方法は、ＨＣを線形にＧＢ（出力装置の色域）まで拡張させるもので、彩度補正の結果は矢印ＨＢに相当する。この方法によると、色域が出力装置の色域の限界まで拡張されるため、最大彩度が向上し、従来の色域よりも鮮やかな色再現が可能になる。また、従来の色相（矢印ＨＣ）にはなんら変化を与えておらず、記憶色も十分に再現されることが予想される。
【００１７】
しかし、印刷目的によっては色域圧縮後の色相ＨＣを純色で再現することが、好ましい場合がある。特に、電子写真プロセスにおいては、純色を保存することは画質の優劣において重要な要素である。  
さらに、電子写真プロセスにおいて一般に広く使用されるトナーの特性では、成分の違いにより多少違いはあるものの、純色の色相は直線ではなく曲線の軌道を描く。  
従って、ＨＡを色圧縮して得られる色相ＨＣは、純色を保存させようとした場合、色材の特性を考慮すると、必ずしも線形で再現されるとは限らない。
【００１８】
図２は、電子写真プロセスにおける純色の色相を表している。  
矢印ＨＣ２は色域ＧＣ内における純色の色相を示し、矢印ＨＢ２は色域ＧＣよりも外側で、色域ＧＢの内側における純色の色相を示している。つまり、この電子写真プロセスにおいてトナー量をＣ＝Ｍ＝Ｙ＝Ｋ＝０％からＣ＝１００％，Ｍ＝Ｙ＝Ｋ＝０％へと、シアン（Cyan）トナーのみを徐々に増量させた際のＬａｂ色空間上の色相はＨＣ２とＨＢ２とを連結させた曲線の軌道で表される。
【００１９】
従って、ＨＡの色相を色域圧縮後に純色で再現させる場合、色域圧縮後の色相はＨＣ２となることを想定しなければならない。また、ＰＡに対応する色域圧縮後の最大彩度を有する点はＰＣではなくＰＣ２で示され、さらに、純色を保存して彩度を拡張する補正を行うのであれば、拡張される色相はＨＢ２となることが想定される。
【００２０】
図３は、電子写真プロセスにおいて純色を保存しながらＨＡを色域圧縮した後に、特許文献１の方法で彩度補正を行った場合の図を表している。前述したように、純色を保存した色域圧縮後の最大彩度点はＰＣ２となる。  
特許文献１の方法によると、色相を線形に補正するため、補正後に拡張された色相は図２のＨＢ２ではなく、ＨＣ３を延長したＨＢ３で示される。また、その際の最大彩度点はＰＢではなく、ＰＢ３となる。  
結果として、特許文献１の方法の場合、印刷目的により本来は純色で再現されていた色相であっても、彩度補正の効果により色域が拡張された領域においては純色が保存されない。
【００２１】
本発明はこれらの事情に鑑み、その目的とするところは、プリンタ等の画像出力装置が本来出せる色再現領域を活用しつつ、従来の記憶色を再現し、彩度補正後も良好な画像を得ることの出来る画像処理装置および画像処理方法を提供することにある。
【課題を解決するための手段】
【００２２】
このような目的を達成するために、本発明は、入力装置により入力されたカラー画像信号を出力装置に適した画像信号に変換可能な画像処理装置であって、第一の入力画像信号を色圧縮する色圧縮手段と、前記色圧縮手段により色圧縮された画像信号を、該画像信号の色空間と異なる色空間へ変換する第一色変換手段と、前記第１の入力画像信号と同一の信号である第二の入力画像信号を色圧縮することなく前記異なる色空間へ変換する第二色変換手段と、前記第一色変換手段および前記第二色変換手段により色変換された二つの画像信号を合成し、新たな画像信号を生成する合成手段とを備えることを特徴とする。
【００２３】
また、本発明は、入力装置により入力されたカラー画像信号を出力装置に適した画像信号に変換可能な画像処理方法であって、第一の入力画像信号を色圧縮する色圧縮工程と、前記色圧縮工程により色圧縮された画像信号を、該画像信号の色空間と異なる色空間へ変換する第一色変換工程と、前記第１の入力画像信号と同一の信号である第二の入力画像信号を色圧縮することなく前記異なる色空間へ変換する第二色変換工程と、前記第一色変換工程および前記第二色変換工程により色変換された二つの画像信号を合成し、新たな画像信号を生成する合成工程とを有することを特徴とする。
【発明の効果】
【００２４】
本発明に係る画像処理装置および画像処理方法においては、プリンタが本来出せる色再現領域を活用しつつ、従来の記憶色を再現することで、入力画像をより鮮やかに出力する彩度補正が実現できる。
【００２５】
さらに、本発明に係る画像処理装置および画像処理方法においては、印刷に使用される色材の特性が考慮されている。従って、印刷目的により従来より純色で再現されていた色相は、本発明に係る彩度補正処理後も純色が保存されるため、粒状感の無い、あるいは該粒状感が軽減されたより鮮やかな画像を得ることができる。
【発明を実施するための最良の形態】
【００２６】
以下、図面を参照して本発明の実施形態を詳細に説明する。なお、以下で説明する図面で、同一機能を有するものは同一符号を付け、その繰り返しの説明は省略する。  
（第１の実施形態）  
本実施形態のシステム全体の構成図を図４に示す。図４は、本実施形態に係る画像処理システムの全体の構成を示すブロック図である。
【００２７】
符号４０１は、ＰＣ等の、本発明に適用される画像入力装置である。符号４０２は、画像入力装置４０１から入力された画像データに基づいて画像を形成し、出力する画像出力装置である。符号４０３は、画像入力装置４０１と画像出力装置４０２とを接続するためのネットワークシステムである。このネットワークシステム４０３は本実施形態においては、有線ＬＡＮや無線ＬＡＮ、もしくはインターネットなどのＷＡＮとしてネットワークとして説明するが、画像出力装置４０２と画像入力装置４０１を専用線で接続するような通信形態であってもよい。つまり、これらの装置の通信手段はいかなるものであってもよい。
【００２８】
なお、本実施形態では、画像出力装置４０２の画像形成方式としては、いずれの方式を用いても良い。例えば、色材としてトナーを用いる、感光体ドラムや感光体ベルトに画像を形成する電子写真方式や、微少ノズルアレイからインクを吐出して用紙上に印字するインクジェット方式など、記録媒体に画像形成可能であればいずれの方式を用いても良い。ただし、上述したように、色材としてトナーを用いる場合は、特に純色の色相は直線ではなく曲線の軌道となるので、画像出力装置４０２を電子写真方式とする場合、本発明の効果は一層発揮される。
【００２９】
図５は本発明の画像入力装置４０１のメインコントローラ５０１の構成を示すブロック図である。  
符号５０１は、画像入力装置４０１のコントローラハードウェアのブロック図である。符号５０２は、画像入力装置４０１全体を制御するためのプログラムを動作させるＣＰＵであって、種々の演算、制御、判別などの処理動作を実行する。符号５０３は、ＣＰＵ５０２によって実行される各プログラムや、画像入力装置４０１を起動させるためのプログラムが格納されているＲＯＭである。符号５０４は、ＣＰＵ５０２の処理動作中のデータや入力データなどを一時的に格納したり、画像入力装置４０１を制御するためのプログラムを動作させるためのＲＡＭである。符号５０５は、ＲＡＭ５０４に展開して動作させるプログラムデータや、アプリケーションソフトのプログラムやアプリケーションソフトが必要とするデータを格納するための２次記憶装置であるハードディスクである。
【００３０】
符号５０６は、画像入力装置４０２とデータの入出力処理を行うネットワーク通信装置である。符号５０７は、画像入力装置４０１上で形成された画像等を表示するための画像表示装置に画像データを送信するためのＶｉｄｅｏデータ送信部である。符号５０８は、Ｖｉｄｅｏデータ送信部から外部の画像表示装置に画像データを送信するためのケーブルである。符号５０９は、Ｖｉｄｅｏデータ送信部５０８から受信した画像データを表示するための画像表示装置をかねる操作部である。
【００３１】
符号５１０は、ネットワーク通信装置５０６から受信したビットマップイメージデータに対して各種画像処理を施すための画像処理部である。画像処理部５１０は、２ページのビットマップイメージデータを１ページのビットマップイメージデータに合成する機能や、ビットマップイメージデータ中に存在する不正描画部分の除去する機能を備える。さらに、画像処理部５１０は、ビットマップイメージデータが斜行していると判断された場合は印字位置を補正する機能のようなビットマップイメージデータをデジタル的に修正する機能を備える。
【００３２】
符号５１１は、画像データを外部装置から受信したり、印刷データを外部装置に送信したりするためのネットワークケーブルである。ネットワークケーブル５１１はネットワーク装置５０６に接続されている。５１２は外部入出力機器とのインターフェースとなる外部機器Ｉ／Ｆである。外部機器Ｉ／Ｆ５１２にはキーボード５１３およびマウス５１４が接続される。
【００３３】
続いて、画像出力装置４０２のメインコントローラ６０１の構成を説明する。図６は本実施形態の画像出力装置４０２のメインコントローラ６０１の構成を示すブロック図である。  
符号６０２は、機器の操作を行うための操作部である。符号６０３は、外部機器とネットワークによって接続を行うためのネットワークケーブルである。符号６０４は外部機器と電話回線によって接続を行うための回線ケーブルである。
【００３４】
符号６０５は、コントローラ６０１全体を制御するためのプログラムを動作させるＣＰＵであって、種々の演算、制御、判別などの処理動作を実行する。符号６０６は、ＣＰＵ６０５上で動作するプログラムによって管理されるＲＡＭである。ＲＡＭ６０６は、外部から受信したデータを一時的に蓄えるための受信バッファやＲＩＰによってラスタライズされた画像データを一時的に蓄えるための画像データバッファ等の目的で使用される。
【００３５】
符号６０７は、操作部６０２とコントローラ６０１とを接続するためのインターフェースである。符号６０８は、コントローラ６０１とネットワークとを接続するためのインターフェースである。符号６０９は、コントローラ６０１と電話回線を接続するためのインターフェースとしてのモデムである。
【００３６】
符号６１０は、ＣＰＵ６０５上で動作するプログラムやデータ等を格納するためのＲＯＭである。符号６１１は、さまざまなデータを長期的に保存することが可能な不揮発性の記憶装置であるハードディスクである。符号６１２は、以上の構成物を互いに接続し、かつＣＰＵ６０５と接続するためのＣＰＵバスである。
【００３７】
符号６２４は、画像処理を行うためのハードウェア群に接続されたイメージバスである。符号６１３は、ＣＰＵバス６１２とイメージバス６２４とを接続するためのインターフェースである。符号６２１は、外部から入力される画像データをビットマップイメージデータに変換する機能を有するラスタライズボード（ＲＩＰ）である。符号６１４は、画像転送バス６１８によってＲＩＰ６２１とイメージバス６２４とを接続するためのインターフェースである。符号６１５は、データを圧縮するためのデータ圧縮装置である。
【００３８】
符号６１６は、データバス６１９、６２０によってスキャナおよびプリンタをイメージバス６２４に接続するためのデバイスインターフェースである。符号６１７は、スキャナ６２２およびＲＩＰ６２１によって生成されたビットマップイメージデータに各種画像処理を施すための画像処理部である。
【００３９】
画像処理部６１７は、２ページのビットマップイメージデータを１ページのビットマップイメージデータに合成する機能や、スキャナ６２２で原稿を読み取る際に埃等の混入によって発生する不正描画部分の除去する機能を備える。また、画像処理部６１７は、スキャナ６２２に原稿を読み取らせる場合に斜行して読み取られてしまった場合の印字位置を補正するための機能等、ビットマップイメージデータをデジタル的に修正する機能を備える。
【００４０】
次に、本実施形態における画像処理の流れを説明する。  
図７は本実施形態における画像処理の流れを示すブロック図である。本実施形態に係る図７の処理は、画像入力装置４０１にて行っても良いし、画像出力装置４０２にて行っても良い。すなわち、画像入力装置４０１または画像出力装置４０２がＯＳ７０１、ドライバ部７０２、およびコントローラ部７０３を備えることで、図７に示す処理を実行する画像処理装置として機能することになる。上記ＯＳ７０１、ドライバ部７０２、およびコントローラ部７０３は、上記画像処理装置のＣＰＵ（画像処理装置が、画像入力装置４０１である場合はＣＰＵ５０２であり、画像出力装置４０２である場合はＣＰＵ６０５）によって統合して制御される。
【００４１】
なお、該画像処理装置は、画像入力装置４０１（入力装置）により入力されたカラー画像信号を画像出力装置４０２（出力装置）に適した画像信号に変換可能であれば良いので、画像入力装置４０１および画像出力装置４０２とは別個に設けても良い。
【００４２】
入力画像は画像処理部５１０で適切な補正が為される。該補正された入力画像（カラー画像信号）は、ネットワーク装置５０６とネットワークケーブル５１１を介して、ＯＳ７０１により画像信号ＩＭＧ１（第一の入力画像信号）および画像信号ＩＭＧ２（第二の入力画像信号）としてドライバ部７０２へ送信される。すなわち、ＯＳ７０１は、補正されたカラー画像信号から少なくとも二つの画像信号に分配して、第１の入力画像信号である画像信号ＩＭＧ１と第２の入力画像信号である画像信号ＩＭＧ２とを取得する。
【００４３】
なお、同じ画像データに関して二系統の信号がドライバ部７０２に送信されるが、これは二系統に限られるものではなく、また、この画像データを複数系統に分配する処理もＯＳ７０１で実現されることに限定するものでもない。例えば、ドライバ部７０２やその他のモジュールで実現しても良い。
【００４４】
本実施形態では、後述するように、本来の記憶色の再現するための色域圧縮用の画像信号と、出力装置の色域を最大限まで利用可能にするための、色域圧縮を行っていない画像信号とを用意する必要がある。よって、本実施形態では、画像処理装置が、入力画像から、互いに同一である、少なくとも二つの画像データ（画像信号）を取得できれば良い。
【００４５】
ドライバ部７０２に送信された画像信号ＩＭＧ１は、色域圧縮部７０５において、操作部５０９においてユーザーに指定された印刷目的もしくは、規定の印刷目的に合わせて、記憶色を再現可能な適切な色域に圧縮される。すなわち、色域圧縮部７０５は、第一の入力画像信号である画像信号ＩＭＧ１を、適切な色域に色域圧縮する。色域圧縮部７０５は、画像信号ＩＭＧ１を色域圧縮後にコントローラ部７０３に送信する。
【００４６】
一方、第二の入力画像信号である画像信号ＩＭＧ２は色域圧縮処理を行わずコントローラ部７０３に送信される。画像信号ＩＭＧ２は色域圧縮処理を行わないため、プリンタの有する全ての色域を最大限に利用可能な画像信号となる。  
また、色域圧縮処理は、必ずしもドライバ部７０２で実現される必要は無く、コントローラ部７０３もしくはその他のデバイスにおいて実現することも十分考えられる。
【００４７】
コントローラ部７０３に送信された画像信号ＩＭＧ１および画像信号ＩＭＧ２は、それぞれ第一色変換部７０６および第二色変換部７０７にて、ＲＧＢ信号から出力装置（プリンタ部６２３）の色空間であるＣＭＹＫ信号に変換される。すなわち、第一色変換部７０６は、色域圧縮部７０５にて色域圧縮された画像信号ＩＭＧ１を、該画像信号ＩＭＧ１の色空間（ＲＧＢ）と異なる色空間（ＣＭＹＫ）へと変換する。また、第二色変換部７０７は、色域圧縮されていない画像信号ＩＭＧ２を、上記異なる色空間（ＣＭＹＫ）へと変換する。
【００４８】
ＣＭＹＫ信号に変換されたそれぞれの画像信号はさらに合成部７０８へ送信される。すなわち、第一色変換部７０６は、プリンタ部６２３の色空間であるＣＭＹＫ信号として色変換された、第一の色変換画像信号を合成部７０８に送信する。同様に、第二色変換部７０７も、プリンタ部６２３の色空間である同じくＣＭＹＫ信号として色変換された、第二の色変換画像信号を合成部７０８に送信する。
【００４９】
ここで、第二の色変換画像信号は、色域圧縮を施されていない信号に基づいて生成されているので、プリンタ部６２３の色域を最大限に利用可能な信号である。このように、本実施形態によれば、上記色変換された色変換画像信号の少なくとも１つを、プリンタ部６２３の再現し得る全ての色域を利用可能な信号とすることができる。
【００５０】
なお、第一色変換部７０６および第二色変換部７０７は、色空間の変換の際に、異なるテーブルを用意する必要は無く、同じテーブルであっても良い。
【００５１】
合成部７０８は、ＣＭＹＫ信号の各成分に対応した合成率換算テーブル（７０９（シアン用）、７１０（マゼンタ用）、７１１（イエロー用）、７１２（ブラック用））を保持している。合成部７０８は、入力される、画像信号ＩＭＧ１に基づいて生成された第一の色変換画像信号および画像信号ＩＭＧ２に基づいて生成された第二の色変換画像信号の各信号値に応じた合成率等、所定の合成率に基づいて両方の画像信号を合成する。合成部７０８は、該合成により新たな画像信号ＩＭＧ３を生成する。  画像信号ＩＭＧ３は、さらにハーフトーン処理などの適切な画像処理が施され、最後にプリンタ部６２３に送信され出力される。
【００５２】
次に、合成部７０８における合成処理について、以下に説明する。  
図８は、合成部７０８において、第一色変換部７０６および第二色変換部７０７から送信された第一の色変換画像信号および第二の色変換画像信号のシアン成分のみの画像信号に関する合成処理を説明したブロック図である。図中のＣ１は、ＣＭＹＫ信号である第一の色変換画像信号のシアン成分を示し、Ｃ２は、ＣＭＹＫ信号である第二の色変換画像信号のシアン成分を示す。なお、ここではシアン成分のみの構成を説明するが、他の色成分（ＭＹＫ）に関する合成処理も同様の構成を有するものである。
【００５３】
まず、合成部７０８に送信された画像信号Ｃ１および画像信号Ｃ２は、演算部８０１に送信される。すなわち、合成部７０８は、画像信号Ｃ１を取得し、かつ画像信号Ｃ２を取得して、取得した画像信号Ｃ１および画像信号Ｃ２を演算部８０１に渡す。
【００５４】
次いで、合成部７０８は、画像信号Ｃ２をシアン成分用に値が設定された合成率換算テーブルＬＵＴＣ７０８ａに入力し、画像信号Ｃ２に対応する合成率ＮＣを生成する。ここで、合成率ＮＣの取り得る値は、演算部８０１での合成演算を考慮して、０以上で１以下の範囲の値とする。次いで、合成部７０８は、合成率換算テーブルＬＵＴＣ７０８ａで生成された合成率ＮＣを、演算部８０１に送信する。
【００５５】
演算部８０１は、画像信号Ｃ１、画像信号Ｃ２および合成率ＮＣを入力として、以下の式１に示される合成演算により新たな画像信号Ｃ３を生成する。  
Ｃ３＝ＮＣ×Ｃ１＋（１−ＮＣ）×Ｃ２          （式１）
合成部７０８においては、ＣＭＹＫ信号の各成分において上記の処理を行うものとする。なお、式１は合成演算に使用する演算式のシンプルな例であるが、画像信号の合成は式１に限定されるものではない。ここでは、二系統以上の入力信号が合成され、それぞれの入力信号の比率を調節できるものであればよい。言い換えると、彩度の変化に応じて、色相の変化率を調整できるような演算式であればよい。
【００５６】
図９（ａ）〜（ｄ）は、合成率換算テーブルＬＵＴＣ７０８ａの例を示す。合成率換算テーブルＬＵＴＣ７０８ａは画像信号Ｃ２の入力に対する合成率ＮＣの関係を示すテーブルである。ここで、画像信号Ｃ２は色域圧縮されない画像信号なので、画像信号Ｃ２を入力とすることで、プリンタの有する全ての色域を最大限に利用するような合成率を生成することができる。
【００５７】
図９（ａ）は入力と出力の関係を線形としたシンプルな例である。図９（ａ）において、画像信号Ｃ２が最小値の時、合成率ＮＣは１となり、Ｃ２が最大値の時、合成率ＮＣは０となる。つまり、新たに生成される画像信号Ｃ３は、入力信号の値が低い時、すなわち低彩度領域の色味に関しては、色域圧縮された画像信号Ｃ１の値を反映する。一方、入力信号の値が高い時、すなわち高彩度領域の色味に関しては色域圧縮されない画像信号Ｃ２の値を反映させる。
【００５８】
なお、本実施形態では、画像信号Ｃ２は、色域圧縮を施されてない信号から生成されているので、上記入力信号に対応している。よって、合成部７０８は、取得した画像信号Ｃ２の値が低い時は入力信号の値も低く、高い時は入力信号の値も高いと判断できる。従って、合成率を生成する際に、画像信号Ｃ２を入力とし、信号を合成する際の合成率を規定した合成率換算テーブルＬＵＴＣ７０８ａを参照することで、入力信号の信号値に応じた適切な合成率を取得することができるのである。すなわち、入力されたカラー画像信号の彩度の変化に応じて、良好な出力結果を得るように合成率を変化させることができる。
【００５９】
ここで、画像信号Ｃ１は従来の記憶色を再現する色味であり、画像信号Ｃ２はプリンタの色域を最大限に利用可能な色域である。従って、図９（ａ）から算出されたＮＣを式１に入力することで、合成後の画像信号Ｃ３は低彩度領域において記憶色の色相を再現し、高彩度領域は従来よりも高い彩度を再現することができる。すなわち、色域圧縮された画像信号Ｃ１および色域圧縮されてない画像信号Ｃ２を用い、該二つの信号を入力信号の信号値に応じて合成率を変えて合成しているので、出力したい画像の彩度に応じた良好な出力を行うことができる。
【００６０】
図９（ｂ）は画像信号Ｃ２の入力に対し、出力の合成率ＮＣは上凸の曲線を描くように設定したものである。このテーブルを使用した場合、低彩度領域から高彩度領域にかけて、色域圧縮された画像信号Ｃ１の値が強く反映される。すなわち、高彩度領域において従来よりも高い彩度を再現するのは図９（ａ）と同じであるが、低彩度領域から高彩度領域に遷移する過程において、より記憶色を再現するような効果が期待できる。
【００６１】
逆に、図９（ｃ）は画像信号Ｃ２の入力に対し、出力の合成率ＮＣは下凸の曲線を描くように設定したものである。このテーブルを使用した場合、図９（ｂ）とは反対に、低彩度領域から画像信号Ｃ２の値が強く反映される。
【００６２】
また、合成率換算テーブルはこれら上記の形式に限られるものではない。例えば、図９（ｄ）に示されるような逆Ｓ字形状のものであってもよい。さらに別の例として、入力信号の色相を判断し、色相に応じて適用するテーブルを使い分けることも考えられる。
【００６３】
さらに、合成率換算テーブルの別の例として、事前に決められたテーブルを使用するのではなく、ドライバ部７０２から送信される画像データ毎やオブジェクト毎に設定値を変更できるようにしても良い。例えば、画像入力装置４０１においては操作部５０９において、また、画像出力装置４０２においては操作部６０２において、ユーザーからの入力を受け付けることにより、合成率換算テーブルを適宜変更する方法が考えられる。
【００６４】
このように、本実施形態では、本来の記憶色を再現するために色域圧縮を行った第一の色変換画像信号と、出力装置の色域を最大限まで利用可能にするために、色域圧縮を行っていない第二の色変換画像信号とを用いることが重要である。そして、入力信号に対応する第二の色変換画像信号の信号値に基づいて、第一および第二の色変換画像信号の合成率を決定し、該合成率に基づいて第一および第二の色変換画像信号を合成している。従って、合成された信号が、合成前に入力信号に色域圧縮された色域よりも外側の色味であっても、適切に合成された第二の色変換画像信号の存在により、高い彩度で再現することができる。
【００６５】
すなわち、本実施形態によれば、従来のように、色域を拡張する際に線形に彩度を補正してはおらず、第一の色変換画像信号と第二の色変換画像信号とを入力信号に応じて合成比率を変えて合成しているので、図２のＨＣ２、ＨＢ２を実現することができる。よって、従来のように、彩度補正の効果により色域が拡張された領域において純色が保存されない、という状態を抑えることができ、トナーのような純色の色相が曲線となる色材の特性を考慮して、彩度補正後も良好な画像を得ることができる。
【００６６】
上記の方法による合成率換算テーブルの変更方法を以下に説明する。  
図１０（ａ）〜（ｃ）は、操作部５０９もしくは操作部６０２において、ＣＲＴや液晶ディスプレイ等のモニタ装置に表示させる場合の合成率換算テーブル入力画面１００１を示している。
【００６７】
ユーザーは必要に応じてＣＭＹＫ各成分に割り当てられたスライダ部１００２ａの各スライダをマウス等のポインティングデバイスやタッチパネル等を介して左右に変化させることで、ＣＭＹＫ各成分の合成率換算テーブルの値を変化させることができる。そしてこの変化の様子をテーブル表示部１００３ａで確認することができる。
【００６８】
なお、本実施形態では、画像信号の各色成分であるＣＭＹＫ各成分の合成率換算テーブルの値を、各色成分毎に独立して変化させているが、これに限らず、各色成分に対して連動して変化させるようにしても良い。すなわち、色変換後の画像信号の各色成分（ＣＭＹＫ各成分）を独立または連動して変化させることにより、合成率換算テーブルの値を決定し、合成率を決定することができる。
【００６９】
図１０（ａ）では、ＣＭＹＫ各成分のスライダの値が中央に設定されている。この状態はスライダ部１００２ａの設定における基準の状態であり、この時、合成率換算テーブルはテーブル表示部１００３ａに表示されているように各色成分が線形を示している。
【００７０】
一方、図１０（ｂ）ではスライダ部１００２ｂにおいて、シアン成分が＋４およびマゼンタ成分が−４となる相対的な設定が為されている。この時、合成率換算テーブルはテーブル表示部１００３ｂに示されるように、シアン成分とマゼンタ成分は曲線を描いている。
【００７１】
さらに、図１０（ｃ）では、シアン成分＋８、マゼンタ成分＋６、イエロー成分＋２となる相対的な設定が為されている。この時、合成率換算テーブルはテーブル表示部１００３ｃに示されるように、シアン成分とマゼンタ成分およびイエロー成分は曲線を描いている。
【００７２】
なお、合成率換算テーブルの変更方法は必ずしも入力画面１００１に示される様な構成を満たす必要はない。ユーザーにより合成率換算テーブルが変更可能であればどういった表示方法、入力方法であっても良いものとする。
【００７３】
図１１は、合成部７０８における処理の手順を説明したフローチャートである。  
合成部７０８では、シアン成分の画像信号Ｃの処理（１１０６）、マゼンタ成分の画像信号Ｍの処理（１１０７）、イエロー成分の画像信号Ｙの処理（１１０８）およびブラック成分の画像信号Ｋの処理（１１０９）のそれぞれの処理が、順次実行される。これらの処理は、平行して実行しても良い。それぞれの成分の処理の内容は同じであるので、ここでは画像信号Ｃの処理（１１０６）について、その内部処理を説明するが、それぞれの処理は必要に応じて内部処理を変更させても良いものとする。また、それぞれの処理が相互に対話することで、処理の内容を変化させても良い。
【００７４】
以下、画像信号Ｃの処理（１１０６）における内部処理について説明する。
【００７５】
まず、合成部７０８は、第一の画像信号取得手段として機能して、画像信号ＩＭＧ１のシアン成分である画像信号Ｃ１の値を取得する（１１０１）。続いて合成部７０８は、第二の画像信号取得手段として機能して、画像信号ＩＭＧ２のシアン成分である画像信号Ｃ２の値を取得する（１１０２）。
【００７６】
さらに、合成部７０８は、画像信号Ｃ２の値から、シアン成分用に値が設定された合成率換算テーブルＬＵＴＣを参照し（１１０３）、シアン成分の合成率ＮＣを生成する（合成率生成）（１１０４）。
【００７７】
最後に、合成部７０８は、処理１１０１で取得された画像信号Ｃ１と、処理１１０２で取得された画像信号Ｃ２および、処理１１０４で生成された合成率ＮＣを入力として、式１に示される演算により新たな画像信号Ｃ３を生成する（１１０５）。
【００７８】
図１２（ａ）〜（ｃ）は、本実施形態における合成処理前後の信号値を示すグラフを示す図である。なお、図１２（ａ）〜（ｃ）において入力される信号は、(Ｒ，Ｇ，Ｂ)＝(２５５，２５５，２５５)から(Ｒ，Ｇ，Ｂ)＝(０，２５５，２５５)へと、レッド成分を徐々に減算した画像であり、Ｌａｂ空間上で表すと図１の色相ＨＡに相当する。図１２の各図は、この減算されるレッド信号を横軸とし、合成処理前後におけるＣＭＹＫ成分を縦軸としたグラフである。
【００７９】
図１２（ａ）は、図７における画像信号ＩＭＧ１に相当するもので、上記の入力信号を色圧縮部７０５にて色域圧縮処理を施し、さらに第一色変換部７０６にて色変換処理をした後のＣＭＹＫ各成分値を示している。（１）は、色圧縮の影響と、第一色変換部７０６の特性により、シアンとイエローとが混色したグラフになっている。なお、図中のＣ１はシアン成分を、Ｙ１はイエロー成分をそれぞれ表している。
【００８０】
また、図１２（ｂ）は、図７における画像信号ＩＭＧ２に相当するもので、上記（ａ）の場合と同様の入力信号を色域圧縮処理を行わずに第二色変換部７０７にて色変換処理をした際のＣＭＹＫ各成分値を示している。（２）は、色圧縮が行われていないことと、第二色変換部７０７の特性により、Ｒ＝０でＣ２＝１００％となるシアン純色の線形グラフとなる。
【００８１】
さらに、図１２（ｃ）は図１２（ａ）および（ｂ）を入力信号とし、合成率換算テーブル（７０９、７１０、７１１、７１２）として図９（ａ）を使用した場合の合成部７０８による合成処理の結果のグラフである。図中のＣ３、Ｙ３はそれぞれ合成後のシアン成分およびイエロー成分を表し、破線はＣ２を表している。
【００８２】
図１２（ｃ）に示すように、シアン成分、イエロー成分ともに、低彩度領域に相当するグラフの前半部分では図１２（ａ）の信号値の影響を反映している。しかしながら、高彩度領域であるグラフの後半部分では図１２（ｂ）の影響を反映し、最大彩度部ではシアン純色となる。
【００８３】
図１３は、本実施形態における彩度補正を示した図である。図１３はＬａｂ空間上における彩度および色相の変化を表している。  
図１３において、ＰＬはＬ軸上の点を示し、Ｈ（１）は図１２（ａ）の信号値を出力装置にて出力した際に、色材が紙等の記録材に再現する色相を示し、Ｐ（１）はその際の最大彩度となる点を示す。  
また、Ｈ（２）は、図１２（ｂ）の信号値を出力装置にて出力した際に、色材が紙等の記録材に再現する色相を示し、Ｐ（２）はその際の最大彩度となる点を示す。  
さらに、Ｈ（３）は図１２（ｃ）の信号値を出力装置にて出力した際に、色材が紙等の記録材に再現する色相を示し、その際の最大彩度はＰ（２）と一致する。
【００８４】
図１３に表されるように、合成後の画像信号は、低彩度領域では記憶色であるＨ（１）の影響を反映しているが、高彩度領域ではより彩度の高いＨ（２）の影響を反映している。そして、最大彩度部ではＰ（２）となり、シアン純色となる。
【００８５】
このように、本実施形態による合成処理を行うことで、プリンタが本来出せる色再現領域を有効に活用し、尚且つ従来の記憶色を再現することで、入力画像の品質の劣化を抑えて、より鮮やかに出力する補正処理が実現できる。
【００８６】
さらに、本実施形態の合成処理によると、色材の色空間において合成処理が行われるため、合成される画像信号が共に純色で、尚且つ同じ色成分であれば、合成後の画像信号もその色成分における純色が保存される。
【００８７】
例えば、色圧縮部７０５および第一色変換部７０６後の画像信号において純色による色再現を実現していた場合であっても、本実施形態の合成処理によると、純色が保存されることとなり、結果として粒状感を抑えたより鮮やかな画像を得ることができる。
【００８８】
さらにまた、本実施形態の合成処理によると、低彩度領域においては従来の記憶色をより再現するように彩度の補正が行われるため、人物画における肌色再現にはなんら影響することなく、風景などにおける高彩度領域のみ鮮やかにすることができる。
【００８９】
（第２の実施形態）  
次に、本発明における他の実施形態について説明する。  
本実施形態は、デジタルカメラ又はメモリカード等からＵＳＢインターフェースを介して、画像出力装置４０２にＪＰＥＧ等の符号化された画像データを送信する場合に、本発明における画像処理装置および画像処理方法を適用した場合の実施形態である。
【００９０】
図１４は本実施形態における画像処理の流れを示すブロック図である。
【００９１】
デジタルカメラ１４０１から送信されたＪＰＥＧ画像データは、ＹＣＣ画像処理部１４０３において伸張処理が行われ、それぞれの画素に応じたＹＣｂＣｒのカラー画像データが生成される。ＹＣＣ画像処理部１４０３ではさらに、ＹＣｒＣｂ色空間において適切な画像処理が行われ、ＲＧＢ色空間へ変換された後、色域圧縮処理部へ送信される。すなわち、ＹＣＣ画像処理部１４０３は、上記ＲＧＢ色空間に変換されたカラー画像信号から少なくとも二つの画像信号に分配して、第１の入力画像信号である画像信号ＩＭＧ１と第２の入力画像信号である画像信号ＩＭＧ２とを取得する。次いで、該取得した画像信号ＩＭＧ１を第一色域圧縮部１４１０に送信し、上記取得した画像信号ＩＭＧ２を第二色域圧縮部１４１１に送信する。
【００９２】
すなわち、ＹＣＣ画像処理部１４０３から色域圧縮処理部へは二系統の画像信号（画像信号ＩＭＧ１および画像信号ＩＭＧ２）として、それぞれ第一色域圧縮部１４１０および第二色域圧縮部１４１１へ送信される。
【００９３】
第一色域圧縮部１４１０は、第１の実施形態における色域圧縮部７０５（図７）と同様に印刷目的に合わせて記憶色を再現可能な適切な色域への圧縮を行い、該圧縮された信号を第一色変換部１４１２へ送信する。なお、色域圧縮においては、デジタルカメラの色域がモニタの色域よりも広いことを考慮し、ＡｄｏｂｅＲＧＢ色空間もしくは、モニタの色空間であるｓＲＧＢ色空間を拡張して符号化を可能にする拡張ｓＲＧＢ色空間を利用することも考えられる。
【００９４】
第二色域圧縮部１４１１では、線形のテーブルを持たせることで第１の実施形態と同様に処理をスルーさせ、そのままプリンタの色域内の信号として第二色変換部１４１３に送信しても良い。  
また、第一色域圧縮部１４１０とは異なる色域圧縮を行うことで、その後の合成処理の効果を制御することも考えられる。
【００９５】
さらに、第一色域圧縮部１４１０および第二色域圧縮部１４１２においては、入力の画像データの色空間が、ＡｄｏｂｅＲＧＢなのか拡張ｓＲＧＢなのかを判定し、判定結果に応じた色空間のテーブルを参照する。該参照によって常に適切な色空間での色域圧縮を実現することも考えられる。こうすることで、様々な色空間の画像データの入力に対応した画像出力が可能となる。
【００９６】
第一色域圧縮部１４１０および第二色域圧縮部１４１２においてプリンタの色空間へ変換されたそれぞれの画像信号は、第一色変換部７０６および第二色変換部７０７を介し、合成部７０８にて新たな画像信号を生成し、プリンタ部６２３にて印刷される。
【００９７】
以上の様に、本実施形態における画像処理装置では、入力の画像データがＪＰＥＧ等の符号化されたものであっても、第１の実施形態の場合と同様に合成処理を行うことができる。つまり、入力の画像データによって色空間が異なる場合であっても、色域圧縮部において適切なテーブルを参照することで、画像が破綻することなく合成処理を行うことができる。
【００９８】
（その他の実施形態）  
本発明は、複数の機器（例えばコンピュータ、インターフェース機器、リーダ、プリンタなど）から構成されるシステムに適用することも、１つの機器からなる装置（複合機、プリンタ、ファクシミリ装置など）に適用することも可能である。
【００９９】
前述した実施形態の機能を実現するように前述した実施形態の構成を動作させるプログラムを記憶媒体に記憶させ、該記憶媒体に記憶されたプログラムをコードとして読み出し、コンピュータにおいて実行する処理方法も上述の実施形態の範疇に含まれる。即ちコンピュータ読み取り可能な記憶媒体も実施例の範囲に含まれる。また、前述のコンピュータプログラムが記憶された記憶媒体はもちろんそのコンピュータプログラム自体も上述の実施形態に含まれる。
【０１００】
かかる記憶媒体としてはたとえばフロッピー（登録商標）ディスク、ハードディスク、光ディスク、光磁気ディスク、ＣＤ―ＲＯＭ、磁気テープ、不揮発性メモリカード、ＲＯＭを用いることができる。
【０１０１】
また前述の記憶媒体に記憶されたプログラム単体で処理を実行しているものに限らず、他のソフトウエア、拡張ボードの機能と共同して、ＯＳ上で動作し前述の実施形態の動作を実行するものも前述した実施形態の範疇に含まれる。
【図面の簡単な説明】
【０１０２】
【図１】従来の、彩度補正を説明するための図である。
【図２】従来の、電子写真プロセスにおける純色の色相を表す図である。
【図３】従来の、電子写真プロセスにおいて純色を保存しながらＨＡを色圧縮した後に、特許文献１の方法で彩度補正を行った場合の図である。
【図４】本発明の一実施形態に係るシステム全体の構成図である。
【図５】本発明の一実施形態に係る、画像入力装置のメインコントローラの構成を示すブロック図である。
【図６】本発明の一実施形態に係る画像出力装置のメインコントローラの構成を示すブロック図である。
【図７】本発明の一実施形態における画像処理の流れを示すブロック図である。
【図８】本発明の一実施形態に係る、合成部における合成処理を説明したブロック図である。
【図９】（ａ）〜（ｄ）は、本発明の一実施形態に係る、例えば、シアンについての合成率換算テーブルＬＵＴの例を示す図である。
【図１０】本発明の一実施形態に係る、操作部に表示させる場合の合成率換算テーブル入力画面の例を示す図である。
【図１１】本発明の一実施形態に係る、合成部における処理の手順を説明したフローチャートである。
【図１２】（ａ）〜（ｃ）は、本発明の一実施形態における合成処理前後の信号値を示す図である。
【図１３】本発明の一実施形態における彩度補正を示した図である。
【図１４】本発明の一実施形態における画像処理の流れを示すブロック図である。
【符号の説明】
【０１０３】
４０１  画像入力装置
４０２  画像出力装置
４０３  ネットワーク
７０１  ＯＳ
７０２  ドライバ部
７０３  コントローラ部
７０５  色域圧縮部
７０６  第一色変換部
７０７  第二色変換部
７０８  合成部
７０９  シアン用の合成率変換テーブルＬＵＴ
７１０  マゼンタ用の合成率変換テーブルＬＵＴ
７１１  イエロー用の合成率変換テーブルＬＵＴ
７１２  ブラック用の合成率変換テーブルＬＵＴ
【図１】
2009105765.tif 000003
【図２】
2009105765.tif 000004
【図３】
2009105765.tif 000005
【図４】
2009105765.tif 000006
【図５】
2009105765.tif 000007
【図６】
2009105765.tif 000008
【図７】
2009105765.tif 000009
【図８】
2009105765.tif 000010
【図９】
2009105765.tif 000011
【図１０】
2009105765.tif 000012
【図１１】
2009105765.tif 000013
【図１２】
2009105765.tif 000014
【図１３】
2009105765.tif 000015
【図１４】
2009105765.tif 000016